(57)【要約】【課題】応募券の商品などからの剥がし操作から、その保管および応募用葉書などへの貼付け操作を容易とし、その一部を貼付け表面から立体的に貼り付け顧客へのアピール効果を増した応募券用シールおよび応募券用シール貼付け方法を提供すること。【解決手段】応募券用シールの裏面の一部に剥離剤層９を設けること、剥離剤層９を有する応募券仮着部３に応募券本体部４を仮着させることに着目したもので、商品に貼り付け可能である貼付け部２に第１の切取り線６を介して隣接している応募券仮着部３と、応募券仮着部３に第２の切取り線７を介して隣接し、第２の切取り線７で折り返して応募券仮着部３に裏打ち可能であるとともに、応募券を形成可能な応募券本体部４と、を有し、貼付け部２および応募券本体部４のそれぞれの裏面に粘着剤層８を形成し、さらに、応募券仮着部３の裏面に剥離剤層９を形成していることを特徴とする。【選択図】図２
2008143084.tif 000002
【特許請求の範囲】
【請求項１】
所定の商品あるいはその包装容器に貼り付け可能であるとともに、応募券を形成する応募券用シールであって、
前記商品あるいは前記包装容器に貼り付け可能である貼付け部と、
この貼付け部に第１の切取り線を介して隣接している応募券仮着部と、
この応募券仮着部に第２の切取り線を介して隣接し、この第２の切取り線部分で折り返してこの応募券仮着部に裏打ち可能であるとともに、前記応募券を形成可能な応募券本体部と、
を有するとともに、
前記貼付け部および前記応募券本体部のそれぞれの裏面に粘着剤層を形成し、さらに、前記応募券仮着部の裏面に剥離剤層を形成していることを特徴とする応募券用シール。
【請求項２】
前記応募券本体部は、前記第２の切取り線とは反対側の側端部が自由端であることを特徴とする請求項１記載の応募券用シール。
【請求項３】
前記応募券本体部の前記第２の切取り線とは反対側の側端部に、第３の切取り線を介して前記貼り付け部に相当する第２の貼付け部を設けるとともに、
この第２の貼付け部の裏面に粘着剤層を形成していることを特徴とする請求項１記載の応募券用シール。
【請求項４】
所定の商品あるいはその包装容器に貼り付け可能であるとともに、応募券を形成する応募券用シール貼付け方法であって、
前記商品あるいは前記包装容器に貼り付け可能である貼付け部と、
この貼付け部に第１の切取り線を介して隣接している応募券仮着部と、
この応募券仮着部に第２の切取り線を介して隣接し、この第２の切取り線部分で折り返してこの応募券仮着部に裏打ち可能であるとともに、前記応募券を形成可能な応募券本体部と、
を形成し、かつ、
前記貼付け部および前記応募券本体部のそれぞれの裏面に粘着剤層を形成し、さらに、前記応募券仮着部の裏面に剥離剤層を形成して応募券用シールを形成するとともに、
前記応募券本体部を前記第２の切取り線において折り返すことにより、前記応募券仮着部の裏面側に裏打ちするように貼り合わせた状態で、
前記貼付け部を前記商品あるいは前記包装容器に貼り付けることを特徴とする応募券用シール貼付け方法。
【発明の詳細な説明】
【技術分野】
【０００１】
本発明は応募券用シールおよび応募券用シール貼付け方法にかかるもので、とくに応募券の商品などからの剥がし操作および応募用葉書などへの貼付け操作が容易な応募券用シールおよび応募券用シール貼付け方法に関するものである。
【背景技術】
【０００２】
従来から、商品の販売促進のために、商品あるいはその包装容器にキャンペーン用その他の目的の応募券を取り付けておき、商品の購入客に当該応募券を販売元ないし製造元に送付してもらうということが行われていた。
【０００３】
しかしながら、飲料などの応募券用シールは、その全面が商品に直接貼り付けられており、購入者がこの応募券用シールを剥がしにくいこと、剥がした状態の応募券用シールの糊面が露出していて保管しにくいこと、すなわち、剥がした応募券用シールを応募用葉書などに貼るまでの間保管する際にどこかに貼っておく必要があってこの貼る箇所を確保しなければならないこと、あるいはこの応募券用シールを応募用葉書などに貼って応募する際に粘着力が低下していて剥がれやすいこと、などの諸問題がある。
とくにパンなどの商品では、その包装袋が薄いビニール袋などから構成されているため、応募券用シールはさらに剥がしずらくなるという問題がある。
さらに、包装用器によっては結露などにより応募券用シール自体を剥がすことが難しくなる場合、応募券用シールの粘着力が強すぎて剥がしにくい場合、商品ないしその包装用器や応募券用シールが破れてしまう場合、など、応募券用シールを剥がす操作が面倒であるという問題がある。
また、応募券用シールを貼ってあった箇所の表面に糊が残って取扱いに不都合になるという問題、応募券用シールの糊面に包装容器の印刷が移ってしまうという問題、などがある。
さらにまた、応募券用シールを応募用葉書に貼った場合に粘着力が弱くなって剥がれてしまうため他の粘着テープなどによる補強が必要になるという問題もある。
なお、従来の応募券用シールでは、応募券が商品上に平面的に貼り付けられることになるため、顧客の目に止まりにくく、販売促進方策としてのアピール効果に乏しいという問題がある。
【０００４】
【特許文献１】実開昭６２−１７６８７６号公報
【発明の開示】
【発明が解決しようとする課題】
【０００５】
本発明は以上のような諸問題にかんがみなされたもので、応募券の商品などからの剥がし操作から、その保管、および応募用葉書などへの貼付け操作を容易として、上述の諸問題を解消することができる応募券用シールおよび応募券用シール貼付け方法を提供することを課題とする。
【０００６】
また本発明は、商品の購入者が応募券用シールを剥がした際にも取扱いが便利である応募券用シールおよび応募券用シール貼付け方法を提供することを課題とする。
【０００７】
また本発明は、応募券用シール自体を多層にするなどの複雑な構成ではなく、簡単な構成で応募操作を簡便にすることができる応募券用シールおよび応募券用シール貼付け方法を提供することを課題とする。
【０００８】
また本発明は、応募券用シールの一部を貼付け表面から立体的に突出起立して貼り付けることができるようにして、顧客へのアピール効果を増した応募券用シールおよび応募券用シール貼付け方法を提供することを課題とする。
【課題を解決するための手段】
【０００９】
すなわち本発明は、応募券用シールの裏面の一部にシリコーンなどの剥離剤層を設けること、この剥離剤層を有する応募券仮着部に応募券本体部を仮着させるように貼り合せることにより、商品などの対象物に貼り付ける部分と、応募券として活用する部分（貼り合せた応募券仮着部および応募券本体部）と、に分離させることに着目したもので、第一の発明は、所定の商品あるいはその包装容器に貼り付け可能であるとともに、応募券を形成する応募券用シールであって、上記商品あるいは上記包装容器に貼り付け可能である貼付け部と、この貼付け部に第１の切取り線を介して隣接している応募券仮着部と、この応募券仮着部に第２の切取り線を介して隣接し、この第２の切取り線部分で折り返してこの応募券仮着部に裏打ち可能であるとともに、上記応募券を形成可能な応募券本体部と、を有するとともに、上記貼付け部および上記応募券本体部のそれぞれの裏面に粘着剤層を形成し、さらに、上記応募券仮着部の裏面に剥離剤層を形成していることを特徴とする応募券用シールである。
【００１０】
第二の発明は、所定の商品あるいはその包装容器に貼り付け可能であるとともに、応募券を形成する応募券用シール貼付け方法であって、上記商品あるいは上記包装容器に貼り付け可能である貼付け部と、この貼付け部に第１の切取り線を介して隣接している応募券仮着部と、この応募券仮着部に第２の切取り線を介して隣接し、この第２の切取り線部分で折り返してこの応募券仮着部に裏打ち可能であるとともに、上記応募券を形成可能な応募券本体部と、を形成し、かつ、上記貼付け部および上記応募券本体部のそれぞれの裏面に粘着剤層を形成し、さらに、上記応募券仮着部の裏面に剥離剤層を形成して応募券用シールを形成するとともに、上記応募券本体部を上記第２の切取り線において折り返すことにより、上記応募券仮着部の裏面側に裏打ちするように貼り合わせた状態で、上記貼付け部を上記商品あるいは上記包装容器に貼り付けることを特徴とする応募券用シール貼付け方法である。
【００１１】
上記応募券本体部は、上記第２の切取り線とは反対側の側端部が自由端であることができる。
【００１２】
上記応募券本体部の上記第２の切取り線とは反対側の側端部に、第３の切取り線を介して上記貼り付け部に相当する第２の貼付け部を設けるとともに、この第２の貼付け部の裏面に粘着剤層を形成していることができる。
【発明の効果】
【００１３】
本発明による応募券用シールおよび応募券用シール貼付け方法においては、商品などに貼り付け可能である貼付け部と、この貼付け部に第１の切取り線を介して隣接する応募券仮着部と、この応募券仮着部に裏打ち可能な応募券本体部と、を設けたので、商品からの応募券本体部の剥がし操作、および応募用葉書などへの貼り付け操作を簡素化することができる。
【００１４】
とくに第一の発明によれば、貼付け部および応募券本体部の裏面に粘着剤層を形成し、応募券仮着部の裏面に剥離剤層を形成したので、全体として複雑な多層構造とならず、単純な構成の応募券用シールとすることができる。
【００１５】
とくに第二の発明によれば、応募券仮着部に応募券本体部を仮着した状態で、貼付け部により商品やその包装容器に貼り付けて、応募券本体部を応募券仮着部とともに貼り付け部位から立体的に突出させることができ、第１の切取り線で応募券仮着部とともに応募券本体部を取り外すとともに、この応募券仮着部から第２の切取り線で応募券本体部を剥がして、応募用葉書などに簡単に貼り付けることが可能となり、小売店側および購入者側ともに取扱いに便利である。
【発明を実施するための最良の形態】
【００１６】
本発明は、貼付け部と、応募券仮着部と、応募券本体部と、を設けるとともに、貼付け部および応募券本体部のそれぞれの裏面に粘着剤層を形成し、応募券仮着部の裏面に剥離剤層を形成したので、購入者にとって応募操作を容易とすることができる応募券用シールおよび応募券用シール貼付け方法を実現した。
【実施例】
【００１７】
つぎに本発明の第１の実施例による応募券用シール１および応募券用シール貼付け方法を図１ないし図４にもとづき説明する。
図１は、応募券用シール１の平面図、図２は、同、縦断面図であって、応募券用シール１は、任意の上質紙あるいは合成紙などのシール基材からこれを構成しているもので、貼付け部２と、応募券仮着部３と、応募券本体部４と、を有するとともに、台紙５（図２、仮想線）上にこれを仮着してある。
【００１８】
貼付け部２は、たとえば正方形あるいは長方形など、貼付けに好適な任意の形状を呈し、商品Ｍ（あるいはその包装容器、図３）に貼り付け可能とするだけの所定の面積を有する。
【００１９】
応募券仮着部３は、たとえば正方形などを呈し、ミシン目などによる第１の切取り線６を介して貼付け部２に隣接しているものである。
【００２０】
応募券本体部４は、応募券仮着部３とほぼ同一形状およびほぼ同一面積を有するとともに、第２の切取り線７を介して応募券仮着部３に隣接している。なお応募券本体部４は、応募券仮着部３よりわずかに小さな大きさであっても構わない。
すなわち応募券本体部４は、応募券仮着部３にこの第２の切取り線７部分で折り返して応募券仮着部内に重ね合わせ可能に仮着可能であるとともに、応募券を形成可能である。
応募券本体部４は、第２の切取り線７とは反対側の側端部が自由端である。
【００２１】
上記貼付け部２および応募券本体部４のそれぞれの裏面に均一に粘着剤層８を形成し、応募券仮着部３の裏面に剥離剤層９を形成している。
台紙５には、その表面側に剥離剤層（図示せず）を塗布してあり、台紙５から上記貼付け部２、応募券仮着部３および応募券本体部４を一体として剥離可能とし、後述するように所定の商品Ｍ（あるいはその包装容器）に貼り付け可能としている。
【００２２】
上述した貼付け部２、応募券仮着部３および応募券本体部４には、商品販売促進用に各種の印刷を行うものである。
ただし、応募券本体部には「応募券」と表示し、応募券仮着部３には「裏面の応募券を・・・までお送り下さい。」などと表示するものとする。
【００２３】
こうした構成の応募券用シール１を所定の商品Ｍ（あるいはその包装容器）に貼り付ける方法を図３および図４にもとづき説明する。
図３は、応募券用シール１から台紙５を剥離して、商品Ｍの表面に貼付け部２部分を貼り付けた状態を示す側面図である。
図示のように、貼付け部２をその裏面の粘着剤層８により商品Ｍ（あるいはその包装容器）に貼り付けるとともに、応募券仮着部３を第１の切取り線６において折り曲げることにより商品Ｍの表面から突出させ、さらに、第２の切取り線７において応募券本体部４を折り曲げて、その粘着剤層８により応募券仮着部３の裏面に裏打ちするように応募券本体部４を貼り合わせる。
この応募券仮着部３および応募券本体部４が貼り合わされた状態で商品Ｍの表面から起立し突出した状態で表示することになり、応募券付き商品であることをアピールすることができる。
しかも、応募券本体部４はその粘着剤層８を応募券仮着部３の剥離剤層９に仮着して貼り付いているので、応募券本体部４自体が商品Ｍの表面に貼り付いてしまうことなく、この起立状態に支障はない。
【００２４】
図４は、商品Ｍを購入した購入者が、応募券本体部４により応募する際の操作を示す側面図である。
図示のように、第１の切取り線６の部分から応募券仮着部３および応募券本体部４を一体的な貼付け体として貼付け部２（すなわち商品Ｍ）から切り離し、さらに、第２の切取り線７で切り離した応募券本体部４を応募券仮着部３の剥離剤層９から容易に剥がすことができ、この応募券本体部４を応募用葉書Ｃにその粘着剤層８の部分で貼り付けて郵送で応募することができる。
なお、応募券仮着部３および応募券本体部４をそのまま一体的な貼付け体として、封筒で郵送するような応募システムとしたり、あるいはこれをそのままレジなどに持参して所定のサービスを提供するようにしてもよい。
【００２５】
かくして、商品Ｍに貼り付けてある貼付け部２の部分は、第１の切取り線６を境界としてそのまま商品Ｍに残しておくことができるため、応募券仮着部３および応募券本体部４を切り離す際に破れるおそれがなくなり剥がしやすくなる。
切り離したのちに、一次保管しておく際にも応募券仮着部３および応募券本体部４が互いに仮着状態にあるので、重ねて保管することもできるとともに、場所も取ることがなく、商品Ｍの表面への糊残りなどの心配もない。
さらに、応募用葉書Ｃに応募券本体部４を貼り付けて応募する際には、応募券本体部４の粘着剤層８が応募券仮着部３の剥離剤層９から剥がれたばかりで新しいため、粘着力が充分にあり、他の貼付けテープなどによる補強の必要もなく、補強テープによる応募用葉書Ｃの反りも防止可能である。
【００２６】
なお本発明においては、応募券仮着部３および応募券本体部４は、互いにほぼ同一形状およびほぼ同一面積を有するものであれば、それぞれの形状として四角形、三角形、あるいは台形など、任意の形状にこれを形成可能であり、これらの形状に合わせて、第１の切取り線６および第２の切取り線７を形成することができる。
【００２７】
図５は、本発明の第２の実施例による応募券用シール１０の平面図、図６は、同、縦断面図であって、応募券用シール１０は、第１の実施例による応募券用シール１（図１）に加えて第２の貼付け部１１を形成している。
すなわち、応募券用シール１０においては、応募券本体部４の第２の切取り線７とは反対側の側端部に、第３の切取り線１２を介して貼付け部２（第１の貼り付け部）に相当する第２の貼付け部１１を設け、この第２の貼付け部１１の裏面にも第１の貼付け部２および応募券本体部４と同様に均一な粘着剤層８を形成している。
【００２８】
こうした構成の応募券用シール１０を所定の商品Ｍ（あるいはその包装容器）に貼り付ける方法を説明する。
図７は、応募券用シール１０から台紙５を剥離して、商品Ｍに第１の貼付け部２および第２の貼付け部１１部分を貼り付けた状態を示す側面図である。
図示のように、第１の貼付け部２および第２の貼付け部１１をその裏面の粘着剤層８により商品Ｍ（あるいはその包装容器）に互いに近接して、より具体的には、第１の切取り線６と第３の切取り線１２とが互いに近接するように貼り付け、応募券仮着部３を第１の切取り線６において折り曲げるとともに、応募券本体部４を第３の切取り線１２において折り曲げることにより、応募券仮着部３の裏面に応募券本体部４をその粘着剤層８により裏打ちするように貼り合わせる。
この応募券仮着部３および応募券本体部４が貼り合わされた状態で商品Ｍの表面から起立し突出した状態で、応募券付き商品であることをアピールすることができる。
しかも、応募券本体部４はその粘着剤層８を応募券仮着部３の剥離剤層９に仮着して貼り付いているので、応募券本体部４自体が商品Ｍの表面に貼り付いてしまうことなく、この起立状態に支障はない。
【００２９】
図８は、商品Ｍを購入した購入者が、応募券本体部４により応募する際の操作を示す側面図である。
図示のように、第１の切取り線６および第３の切取り線１２の部分において応募券仮着部３および応募券本体部４を一体的な貼付け体として貼付け部２（すなわち商品Ｍ）から切り離し、さらに、第２の切取り線７で切り離した応募券本体部４を応募券仮着部３の剥離剤層９から容易に剥がすことができ、この応募券本体部４を応募用葉書Ｃに粘着剤層８の部分で貼り付けて郵送で応募することができる。
この応募券用シール１０では、第１の貼付け部２および第２の貼付け部１１により応募券仮着部３および応募券本体部４を確実に立体的に起立保持して商品Ｍに貼り付けることができ、顧客へのアピールを確実化することができる。
【図面の簡単な説明】
【００３０】
【図１】本発明の第１の実施例による応募券用シール１である。
【図２】同、縦断面図である。
【図３】同、応募券用シール１から台紙５を剥離して、商品Ｍの表面に貼付け部２部分を貼り付けた状態を示す側面図である。
【図４】同、商品Ｍを購入した購入者が、応募券本体部４により応募する際の操作を示す側面図である。
【図５】本発明の第２の実施例による応募券用シール１０の平面図である。
【図６】同、縦断面図である。
【図７】同、応募券用シール１０から台紙５を剥離して、商品Ｍに第１の貼付け部２および第２の貼付け部１１部分を貼り付けた状態を示す側面図である。
【図８】同、商品Ｍを購入した購入者が、応募券本体部４により応募する際の操作を示す側面図である。
【符号の説明】
【００３１】
１  応募券用シール（第１の実施例、図１）
２  貼付け部（第１の貼付け部）
３  応募券仮着部
４  応募券本体部
５  台紙
６  第１の切取り線
７  第２の切取り線
８  粘着剤層
９  剥離剤層
１０  応募券用シール（第２の実施例、図５）
１１  第２の貼付け部
１２  第３の切取り線
Ｍ    商品（あるいはその包装容器）
Ｃ    応募用葉書
【図１】
2008143084.tif 000003
【図２】
2008143084.tif 000004
【図３】
2008143084.tif 000005
【図４】
2008143084.tif 000006
【図５】
2008143084.tif 000007
【図６】
2008143084.tif 000008
【図７】
2008143084.tif 000009
【図８】
2008143084.tif 000010